(57)【要約】【課題】夜間など太陽光発電システムが稼働しない期間において、ＰＩＤ現象を引き起こす要因を抑制する。【解決手段】太陽光パネル１０とパワーコンディショナー２０との間に接続回路３０を設ける。接続回路３０では電力線３１，３２に、太陽光パネル１０が出力を停止しているとき高インピーダンスを有する高インピーダンス部４１，５１が設けられ、太陽光パネル１０側の電力線３１，３２が抵抗素子４２，５２を介して接地されている。パワーコンディショナー２０側の電力線３１，３２の電位と接地電位との差が大きくても、太陽光パネル１０側の電力線３１，３２の電位と接地電位との差は小さく抑えられる。【選択図】図１
2019083610.tif 000002
【特許請求の範囲】
【請求項１】
太陽光パネルの出力とパワーコンディショナーの入力との間に設けられる接続回路であって、
前記太陽光パネルの正極と前記パワーコンディショナーの正極とを接続する第１電力線と、
前記太陽光パネルの負極と前記パワーコンディショナーの負極とを接続する第２電力線と、
前記第１および第２電力線のうち一方に挿入されており、前記太陽光パネルが出力を停止しているとき高インピーダンスを有する、高インピーダンス部と、
前記一方の電力線の、前記高インピーダンス部よりも前記太陽光パネル側に一端が接続され、他端が接地されている、抵抗素子とを備える
ことを特徴とする接続回路。
【請求項２】
請求項１記載の接続回路において、
前記高インピーダンス部は、
前記一方の電力線に挿入されており、前記パワーコンディショナーから前記太陽光パネルに向かう方向を順方向とするダイオードを含む
ことを特徴とする接続回路。
【請求項３】
請求項１記載の接続回路において、
前記高インピーダンス部は、
前記一方の電力線に挿入されたＦＥＴ（Field Effect Transistor）と、
前記ＦＥＴを制御するものであり、前記太陽光パネルが出力を停止しているとき前記ＦＥＴをオフにする制御回路とを含む
ことを特徴とする接続回路。
【請求項４】
請求項１記載の接続回路において、
前記高インピーダンス部は、
前記一方の電力線に挿入されたリレーと、
前記リレーを制御するものであり、前記太陽光パネルが出力を停止しているとき前記リレーをオフにする制御回路とを含む
ことを特徴とする接続回路。
【請求項５】
請求項１〜４のうちいずれか１項記載の接続回路において、
前記抵抗素子は、１ＭΩ以上の抵抗値を有する
ことを特徴とする接続回路。
【請求項６】
請求項１〜５のうちいずれか１項記載の接続回路において、
前記第１および第２電力線のうち他方に挿入されており、前記太陽光パネルが出力を停止しているとき高インピーダンスを有する、第２高インピーダンス部を備える
ことを特徴とする接続回路。
【請求項７】
請求項６記載の接続回路において、
前記第２高インピーダンス部は、
前記他方の電力線に挿入されており、前記太陽光パネルから前記パワーコンディショナーに向かう方向を順方向とするダイオードを含む
ことを特徴とする接続回路。
【請求項８】
請求項６記載の接続回路において、
前記第２高インピーダンス部は、
前記他方の電力線に挿入されたＦＥＴと、
前記ＦＥＴを制御するものであり、前記太陽光パネルが出力を停止しているとき前記ＦＥＴをオフにする制御回路とを含む
ことを特徴とする接続回路。
【請求項９】
請求項６記載の接続回路において、
前記第２高インピーダンス部は、
前記他方の電力線に挿入されたリレーと、
前記リレーを制御するものであり、前記太陽光パネルが出力を停止しているとき前記リレーをオフにする制御回路とを含む
ことを特徴とする接続回路。
【請求項１０】
請求項１〜９のうちいずれか１項記載の接続回路において、
前記パワーコンディショナーは、非絶縁方式であり、かつ、蓄電池が接続可能なように構成されている
ことを特徴とする接続回路。
【請求項１１】
太陽光パネルの出力を受けるパワーコンディショナーであって、
インバータ部と、
前記太陽光パネルの出力と前記インバータ部の入力との間に設けられた接続回路とを備え、
前記接続回路は、
前記太陽光パネルの正極と前記インバータ部の正極とを接続する第１電力線と、
前記太陽光パネルの負極と前記インバータ部の負極とを接続する第２電力線と、
前記第１および第２電力線のうち一方に挿入されており、前記太陽光パネルが出力を停止しているとき高インピーダンスを有する、高インピーダンス部と、
前記一方の電力線の、前記高インピーダンス部よりも前記太陽光パネル側に一端が接続され、他端が接地されている、抵抗素子とを備える
ことを特徴とするパワーコンディショナー。
【請求項１２】
非絶縁方式であり、かつ、蓄電池が接続可能なように構成されている
ことを特徴とする請求項１１記載のパワーコンディショナー。
【発明の詳細な説明】
【技術分野】
【０００１】
本発明は、太陽光発電システムに関し、例えばＰＩＤ現象への対策に関する。
【背景技術】
【０００２】
太陽光発電システムでは、ＰＩＤ（Potential Induced Degradation）現象が問題となっている。ＰＩＤ現象とは、太陽光パネルの性能が対地電圧の影響によって劣化し、発電量が下がってしまう現象のことをいう。すなわち、太陽光パネルのフレーム（アース）と電極との間に直流電圧が印加されると、その間にある樹脂層が劣化し、パネル出力が低下してしまう。
【０００３】
特許文献１では、ＰＩＤ現象への対策手法の一例として、太陽電池ストリングの負極側または正極側を接地する構成が開示されている。
【先行技術文献】
【特許文献】
【０００４】
【特許文献１】特開２０１５−３２６０１号公報（図１０）
【発明の概要】
【発明が解決しようとする課題】
【０００５】
従来では、太陽光発電システムが稼働する昼間に関しては、太陽光パネル側でＰＩＤ現象への対策がある程度とられていた。一方で、近年、太陽光発電システムで用いられるパワーコンディショナーについて、高効率化のために非絶縁方式が増加している。また、太陽光パネルの他に蓄電池や電気自動車（ＥＶ）等が接続されるハイブリッドタイプのパワーコンディショナーも、普及し始めている。
【０００６】
その中で、本願発明者らは、非絶縁方式でハイブリッドタイプのパワーコンディショナーを用いた場合には、夜間など太陽光発電システムが稼働しない期間であっても、ＰＩＤ現象を引き起こす要因があることが分かった。
【０００７】
前記の問題に鑑み、本発明は、夜間など太陽光発電システムが稼働しない期間において、ＰＩＤ現象を引き起こす要因を抑制することを目的とする。
【課題を解決するための手段】
【０００８】
本発明に係る接続回路は、太陽光パネルが出力を停止しているとき高インピーダンスを有する高インピーダンス部を電力線に設け、太陽光パネル側の電力線を、抵抗素子を介して接地する。これにより、パワーコンディショナー側の電力線の電位と接地電位との差が大きくても、太陽光パネル側の電力線の電位と接地電位との差は小さく抑えられる。したがって、夜間など太陽光発電システムが稼働しない期間において、ＰＩＤ現象を引き起こす要因を抑制することができる。
【０００９】
すなわち、本発明の態様では、太陽光パネルの出力とパワーコンディショナーの入力との間に設けられる接続回路は、前記太陽光パネルの正極と前記パワーコンディショナーの正極とを接続する第１電力線と、前記太陽光パネルの負極と前記パワーコンディショナーの負極とを接続する第２電力線と、前記第１および第２電力線のうち一方に挿入されており、前記太陽光パネルが出力を停止しているとき高インピーダンスを有する、高インピーダンス部と、前記一方の電力線の、前記高インピーダンス部よりも前記太陽光パネル側に一端が接続され、他端が接地されている、抵抗素子とを備える。
【００１０】
この態様によると、接続回路は、第１および第２電力線のうち一方に、太陽光パネルが出力を停止しているとき高インピーダンスを有する高インピーダンス部が挿入されている。そして、当該一方の電力線の、高インピーダンス部よりも太陽光パネル側が、抵抗素子を介して接地されている。これにより、パワーコンディショナー側の電力線の電位と接地電位との差が大きくても、太陽光パネル側の電力線の電位と接地電位との差は小さく抑えられる。したがって、夜間など太陽光発電システムが稼働しない期間において、ＰＩＤ現象を引き起こす要因を抑制することができる。
【００１１】
そして、前記態様において、前記高インピーダンス部は、前記一方の電力線に挿入されており、前記パワーコンディショナーから前記太陽光パネルに向かう方向を順方向とするダイオードを含む、としてもよい。
【００１２】
また、前記態様において、前記高インピーダンス部は、前記一方の電力線に挿入されたＦＥＴ（Field Effect Transistor）と、前記ＦＥＴを制御するものであり、前記太陽光パネルが出力を停止しているとき前記ＦＥＴをオフにする制御回路とを含む、としてもよい。
【００１３】
また、前記態様において、前記高インピーダンス部は、前記一方の電力線に挿入されたリレーと、前記リレーを制御するものであり、前記太陽光パネルが出力を停止しているとき前記リレーをオフにする制御回路とを含む、としてもよい。
【００１４】
また、前記態様において、前記抵抗素子は、１ＭΩ以上の抵抗値を有する、としてもよい。
【００１５】
また、前記態様において、前記第１および第２電力線のうち他方に挿入されており、前記太陽光パネルが出力を停止しているとき高インピーダンスを有する、第２高インピーダンス部を備える、としてもよい。
【００１６】
この態様により、他方の電力線においても、パワーコンディショナー側の電位と接地電位との差が大きくても、太陽光パネル側の電位と接地電位との差を小さく抑えることができる。
【００１７】
そして、前記態様において、前記第２高インピーダンス部は、前記他方の電力線に挿入されており、前記太陽光パネルから前記パワーコンディショナーに向かう方向を順方向とするダイオードを含む、としてもよい。
【００１８】
また、前記態様において、前記第２高インピーダンス部は、前記他方の電力線に挿入されたＦＥＴと、前記ＦＥＴを制御するものであり、前記太陽光パネルが出力を停止しているとき前記ＦＥＴをオフにする制御回路とを含む、としてもよい。
【００１９】
また、前記態様において、前記第２高インピーダンス部は、前記他方の電力線に挿入されたリレーと、前記リレーを制御するものであり、前記太陽光パネルが出力を停止しているとき前記リレーをオフにする制御回路とを含む、としてもよい。
【００２０】
そして、前記態様において、前記パワーコンディショナーは、非絶縁方式であり、かつ、蓄電池が接続可能なように構成されている、としてもよい。
【００２１】
また、本発明の別の態様では、太陽光パネルの出力を受けるパワーコンディショナーは、インバータ部と、前記太陽光パネルの出力と前記インバータ部の入力との間に設けられた接続回路とを備え、前記接続回路は、前記太陽光パネルの正極と前記インバータ部の正極とを接続する第１電力線と、前記太陽光パネルの負極と前記インバータ部の負極とを接続する第２電力線と、前記第１および第２電力線のうち一方に挿入されており、前記太陽光パネルが出力を停止しているとき高インピーダンスを有する、高インピーダンス部と、前記一方の電力線の、前記高インピーダンス部よりも前記太陽光パネル側に一端が接続され、他端が接地されている、抵抗素子とを備える。
【００２２】
この態様によると、パワーコンディショナーに内蔵された接続回路は、第１および第２電力線のうち一方に、太陽光パネルが出力を停止しているとき高インピーダンスを有する高インピーダンス部が挿入されている。そして、当該一方の電力線の、高インピーダンス部よりも太陽光パネル側が、抵抗素子を介して接地されている。これにより、インバータ部側の電力線の電位と接地電位との差が大きくても、太陽光パネル側の電力線の電位と接地電位との差は小さく抑えられる。したがって、夜間など太陽光発電システムが稼働しない期間において、ＰＩＤ現象を引き起こす要因を抑制することができる。
【００２３】
そして、前記態様において、前記パワーコンディショナーは、非絶縁方式であり、かつ、蓄電池が接続可能なように構成されている、としてもよい。
【発明の効果】
【００２４】
本発明によると、夜間など太陽光発電システムが稼働しない期間において、ＰＩＤ現象を引き起こす要因を抑制することができる。
【図面の簡単な説明】
【００２５】
【図１】第１実施形態に係る接続回路を含む太陽光発電システムの構成
【図２】図１の接続回路の動作を示す図であり、（ａ）は太陽光パネルの出力変化、（ｂ）は負極側電力線の電圧変化
【図３】第２実施形態に係る接続回路を含む太陽光発電システムの構成
【図４】第３実施形態に係る接続回路を含む太陽光発電システムの構成
【図５】接続回路を内蔵したパワーコンディショナーの概略構成
【発明を実施するための形態】
【００２６】
以下、実施の形態について、図面を参照して説明する。
【００２７】
（第１実施形態）
図１は第１実施形態に係る接続回路を含む太陽光発電システムの構成を示す図である。図１の太陽光発電システム１は、太陽光エネルギーを利用して発電する太陽光パネル１０と、太陽光パネル１０から出力される直流電力を受けるパワーコンディショナー２０とを備える。太陽光パネル１０では、電気的に直列に接続された複数の太陽電池モジュール１１によって、３つの太陽電池ストリング１２ａ，１２ｂ，１２ｃが構成されている。太陽電池ストリング１２ａ，１２ｂ，１２ｃは電気的に並列に接続されている。そして、各太陽電池ストリング１２ａ，１２ｂ，１２ｃの正極（＋）は共通に接続されており、各太陽電池ストリング１２ａ，１２ｂ，１２ｃの負極（−）は共通に接続されている。
【００２８】
なお、図１の構成では、各太陽電池ストリング１２ａ，１２ｂ，１２ｃはそれぞれ、直列に接続された３個の太陽電池モジュール１１によって構成されているが、直列に接続される太陽電池モジュールの個数は３に限られるものではない。また、図１の構成では、３つの太陽電池ストリング１２ａ，１２ｂ，１２ｃが並列に接続されているが、並列に接続される太陽電池ストリングの個数は３に限られるものではない。
【００２９】
パワーコンディショナー２０は、ここでは非絶縁方式であり、かつ、蓄電池２５や電気自動車（ＥＶ）２６等が接続されるいわゆるハイブリッドタイプである。パワーコンディショナー２０は太陽光パネル１０から出力された直流電力を、商用系統向けの交流電力に変換するインバータ部２１を備える。
【００３０】
そして本実施形態では、太陽光パネル１０の出力とパワーコンディショナー２０の入力との間に、接続回路３０が設けられている。接続回路３０は、太陽光パネル１０の正極とパワーコンディショナー２０の正極とを接続する第１電力線３１と、太陽光パネル１０の負極とパワーコンディショナー２０の負極とを接続する第２電力線３２とを備える。そして、第２電力線３２に、パワーコンディショナー２０から太陽光パネル１０に向かう方向を順方向とするダイオード４１が挿入されている。本実施形態では、ダイオード４１によって、太陽光パネル１０が出力を停止しているとき高インピーダンスを有する高インピーダンス部が構成されている。ダイオード４１の逆方向におけるインピーダンスは、例えば１００ＭΩ程度である。また、接続回路３０は、第２電力線３２の、ダイオード４１よりも太陽光パネル１０側に一端が接続され、他端が接地されている、抵抗素子４２を備える。抵抗素子４２の抵抗値は１ＭΩ以上である。なお、ダイオード４１の逆方向におけるインピーダンスは、抵抗素子４２の抵抗値に対して十分高いものであることが好ましい。
【００３１】
さらに、接続回路３０では、第１電力線３１に、太陽光パネル１０からパワーコンディショナー２０に向かう方向を順方向とするダイオード５１が挿入されている。ダイオード５１によって、太陽光パネル１０が出力を停止しているとき高インピーダンスを有する第２高インピーダンス部が構成されている。ダイオード５１の逆方向におけるインピーダンスは、例えば１００ＭΩ程度である。また、接続回路３０は、第１電力線３１の、ダイオード５１よりも太陽光パネル１０側に一端が接続され、他端が接地されている、抵抗素子５２を備える。抵抗素子５２の抵抗値は１ＭΩ以上である。なお、ダイオード５１の逆方向におけるインピーダンスは、抵抗素子５２の抵抗値に対して十分高いものであることが好ましい。
【００３２】
図２は本実施形態に係る接続回路３０の動作を示す図であり、太陽光パネル１０の出力が停止したときの電力線の電圧変化の例を示す。図２（ａ）は太陽光パネル１０の出力変化、図２（ｂ）は第２電力線３２の電圧変化を示す。
【００３３】
太陽光パネル１０は動作中のとき、その出力として例えば３００Ｖを出力している。このとき、第２電力線３２の太陽光パネル１０側の電圧は約−１５０Ｖである。また、第２電力線３２のパワーコンディショナー２０側の電圧は、それよりも少し高い電圧になっている。そして例えば夜間になり、太陽光パネル１０の出力が低下し、やがて出力が停止したとする。このとき、第２電力線３２の太陽光パネル１０側の電圧は徐々に０Ｖに近づいていき、０Ｖを超えて数１０Ｖに達してから、徐々に低下していく。第２電力線３２の太陽光パネル１０側の電圧は、最終的には、第２電力線３２のパワーコンディショナー２０側の電圧をダイオード４１のインピーダンスと抵抗素子４２の抵抗値とによって分圧した電圧に近づいていく。
【００３４】
これに対して、第２電力線３２にダイオード４１と抵抗素子４２が設けられていない場合には、太陽光パネル１０の出力が停止したとき、第２電力線３２の太陽光パネル１０側の電圧は、第２電力線３２のパワーコンディショナー２０側の電圧とほぼ同じ電圧になってしまう。一方、非絶縁方式のパワーコンディショナー２０に蓄電池２５等が接続されているとき、第２電力線３２に大きな電圧が出力されている場合がある。この場合には、太陽光パネル１０の出力が停止していても、太陽光パネル１０のアースと負電極との間に直流電圧が印加された状態になってしまうので、その間にある樹脂層が劣化し、パネル出力が低下してしまう。すなわち、いわゆるＰＩＤ（Potential Induced Degradation）現象を引き起こしてしまう。したがって、第２電力線３２にダイオード４１と抵抗素子４２を設けたことによって、夜間など太陽光発電システム１が稼働しない期間において、ＰＩＤ現象を引き起こす要因を抑制することができる。
【００３５】
同様に、第１電力線３１にダイオード５１と抵抗素子５２を設けたことによって、夜間など太陽光発電システム１が稼働しない期間において、ＰＩＤ現象を引き起こす要因を抑制することができる。
【００３６】
このように本実施形態によると、第１および第２電力線３１，３２に、太陽光パネル１０が出力を停止しているとき高インピーダンスを有するダイオード４１，５１を設け、太陽光パネル１０側の電力線３１，３２を、抵抗素子４２，５２を介して接地する。これにより、パワーコンディショナー２０側の電力線３１，３２の電位と接地電位との差が大きくても、太陽光パネル１０側の電力線３１，３２の電位と接地電位との差は小さく抑えられる。したがって、夜間など太陽光発電システムが稼働しない期間において、ＰＩＤ現象を引き起こす要因を抑制することができる。
【００３７】
（第２実施形態）
図３は第２実施形態に係る接続回路を含む太陽光発電システムの構成を示す図である。図３では、図１と共通の構成要素については図１と同一の符号を付しており、ここではその詳細な説明を省略する。図３の構成では、接続回路３０Ａは、第１電力線３１に挿入されたＦＥＴ（Field Effect Transistor）５３と、ＦＥＴ５３を制御する制御回路５４とを備えている。制御回路５４は、太陽光パネル１０が出力を停止しているとき、ＦＥＴ５３をオフにする。ここでは、制御回路５４は、第１電力線３１の電圧をモニターして太陽光パネル１０の出力の停止を検知する。本実施形態では、ＦＥＴ５３および制御回路５４によって、第２高インピーダンス部が構成されている。オフ時におけるＦＥＴ５３のインピーダンスは、例えば１０ＭΩ程度である。第２電力線３２に関する構成は、第１実施形態と同様である。
【００３８】
本実施形態においても、第１実施形態と同様の効果が得られる。すなわち、第１電力線３１では、太陽光パネル１０が出力を停止しているときオフになるＦＥＴ５３が設けられている。これにより、パワーコンディショナー２０側の電力線３１の電位と接地電位との差が大きくても、太陽光パネル１０側の電力線３１の電位と接地電位との差は小さく抑えられる。したがって、夜間など太陽光発電システムが稼働しない期間において、ＰＩＤ現象を引き起こす要因を抑制することができる。
【００３９】
（第３実施形態）
図４は第３実施形態に係る接続回路を含む太陽光発電システムの構成を示す図である。図４では、図１と共通の構成要素については図１と同一の符号を付しており、ここではその詳細な説明を省略する。図４の構成では、接続回路３０Ｂは、第１電力線３１に挿入されたラッチングリレー５５と、ラッチングリレー５５を制御する制御回路５６とを備えている。ここで、ラッチングリレー５５は、リレーの一例である。制御回路５６は、太陽光パネル１０が出力を停止しているとき、ラッチングリレー５５をオフにする。ここでは、制御回路５６は、第２電力線３２の電圧の立ち上がりを検知する立ち上がり検知回路５６ａと、第２電力線３２の電圧の立ち下がりを検知する立ち下がり検知回路５６ｂとを備える。立ち上がり検知回路５６ａは第２電力線３２の電圧の立ち上がりを検知すると、ラッチングリレー５５をオフにする。立ち下がり検知回路５６ｂは第２電力線３２の電圧の立ち下がりを検知すると、ラッチングリレー５５をオンにする。本実施形態では、ラッチングリレー５５および制御回路５６によって、第２高インピーダンス部が構成されている。オフ時におけるラッチングリレー５５のインピーダンスは、例えば５０００ＭΩ以上である。第２電力線３２に関する構成は、第１実施形態と同様である。
【００４０】
本実施形態においても、第１および第２実施形態と同様の効果が得られる。すなわち、第１電力線３１では、太陽光パネル１０が出力を停止しているときオフになるラッチングリレー５５が設けられている。これにより、パワーコンディショナー２０側の電力線３１の電位と接地電位との差が大きくても、太陽光パネル１０側の電力線３１の電位と接地電位との差は小さく抑えられる。したがって、夜間など太陽光発電システムが稼働しない期間において、ＰＩＤ現象を引き起こす要因を抑制することができる。
【００４１】
なお、ラッチングリレー５５に代えて、他の機械式リレー（有接点リレー）を適用してもよい。
【００４２】
（接続回路の変形例）
（その１）
図１の接続回路３０において、第１電力線３１に設けられたダイオード５１および抵抗素子５２を省いてもよい。あるいは、第２電力線３２に設けられたダイオード４１および抵抗素子４２を省いてもよい。
【００４３】
（その２）
パワーコンディショナー２０がインバータ部２１の前段に昇圧回路を備えており、この昇圧回路が、第１電力線３１と接続された電力線に挿入されたダイオードを有している場合がある。この場合には、図１の接続回路３０において、第１電力線３１に設けられたダイオード５１を省いてもかまわない。
【００４４】
（その３）
第２電力線３２に設けられたダイオード４１に代えて、図３に示したようなＦＥＴ５３および制御回路５４を設けてもよい。この場合は、ＦＥＴ５３および制御回路５４によって、高インピーダンス部が構成される。あるいは、第２電力線３２に設けられたダイオード４１に代えて、図４に示したようなラッチングリレー５５および制御回路５６を設けてもよい。この場合は、ラッチングリレー５５および制御回路５６によって、高インピーダンス部が構成される。
【００４５】
（その４）
第２電力線３２に、ダイオード４１に加えて、図３に示したようなＦＥＴ５３および制御回路５４を設けてもよい。この場合は、ダイオード４１、ＦＥＴ５３および制御回路５４によって、高インピーダンス部が構成される。あるいは、第２電力線３２に、ダイオード４１に加えて、図４に示したようなラッチングリレー５５および制御回路５６を設けてもよい。この場合は、ダイオード４１、ラッチングリレー５５および制御回路５６によって、高インピーダンス部が構成される。
【００４６】
＜他の構成例＞
上述した接続回路はパワーコンディショナーに内蔵してもよい。図５は上述した接続回路３０を内蔵したパワーコンディショナー２０Ａの概略構成である。パワーコンディショナー２０Ａは、非絶縁方式であり、かつ、いわゆるハイブリッドタイプであって蓄電池２５やＥＶ２６等が接続可能なように構成されている。
【００４７】
図５に示すように、パワーコンディショナー２０Ａは、インバータ部２１と、太陽光パネル１０の出力とインバータ部２１の入力との間に設けられた接続回路３０とを備える。接続回路３０の構成は、上述の第１実施形態と同様である。すなわち、接続回路３０は、太陽光パネル１０の正極とインバータ部２１の正極とを接続する第１電力線３１と、太陽光パネル１０の負極とインバータ部２１の負極とを接続する第２電力線３２とを備える。そして、第２電力線３２に、ダイオード４１と抵抗素子４２が設けられており、第１電力線３１に、ダイオード５１と抵抗素子５２が設けられている。
【００４８】
なお、図５における接続回路３０は、上述の第２および第３実施形態のような構成を適用してもよいし、上述した変形例を適用してもよいことはいうまでもない。
【産業上の利用可能性】
【００４９】
本発明では、太陽光発電システムにおいてＰＩＤ現象を引き起こす要因を抑制できるので、例えば、太陽光パネルの長寿命化に有用である。
【符号の説明】
【００５０】
１０  太陽光パネル
２０，２０Ａ  パワーコンディショナー
３０，３０Ａ，３０Ｂ  接続回路
３１  第１電力線
３２  第２電力線
４１  ダイオード
４２  抵抗素子
５１  ダイオード
５２  抵抗素子
５３  ＦＥＴ
５４  制御回路
５５  ラッチングリレー（リレー）
５６  制御回路
【図１】
2019083610.tif 000003
【図２】
2019083610.tif 000004
【図３】
2019083610.tif 000005
【図４】
2019083610.tif 000006
【図５】
2019083610.tif 000007
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
太陽光パネルの出力とパワーコンディショナーの入力との間に設けられる接続回路であって、
前記太陽光パネルの正極と前記パワーコンディショナーの正極とを接続する第１電力線と、
前記太陽光パネルの負極と前記パワーコンディショナーの負極とを接続する第２電力線と、
前記第１および第２電力線のうち一方に挿入されたＦＥＴ（Field Effect Transistor）と、
前記ＦＥＴを制御するものであり、前記太陽光パネルが出力を停止しているとき前記ＦＥＴをオフにする制御回路と、
前記一方の電力線の、前記ＦＥＴよりも前記太陽光パネル側に一端が接続され、他端が接地されている、抵抗素子とを備える
ことを特徴とする接続回路。
【請求項２】
太陽光パネルの出力とパワーコンディショナーの入力との間に設けられる接続回路であって、
前記太陽光パネルの正極と前記パワーコンディショナーの正極とを接続する第１電力線と、
前記太陽光パネルの負極と前記パワーコンディショナーの負極とを接続する第２電力線と、
前記第１および第２電力線のうち一方に挿入されたリレーと、
前記リレーを制御するものであり、前記太陽光パネルが出力を停止しているとき前記リレーをオフにする制御回路と、
前記一方の電力線の、前記リレーよりも前記太陽光パネル側に一端が接続され、他端が接地されている、抵抗素子とを備える
ことを特徴とする接続回路。
【請求項３】
請求項１または２記載の接続回路において、
前記抵抗素子は、１ＭΩ以上の抵抗値を有する
ことを特徴とする接続回路。
【請求項４】
太陽光パネルの出力とパワーコンディショナーの入力との間に設けられる接続回路であって、
前記太陽光パネルの正極と前記パワーコンディショナーの正極とを接続する第１電力線と、
前記太陽光パネルの負極と前記パワーコンディショナーの負極とを接続する第２電力線と、
前記第１および第２電力線のうち一方に一端が接続され、他端が接地されている、抵抗素子と、
前記一方の電力線の、前記抵抗素子よりも前記パワーコンディショナー側に挿入されており、前記太陽光パネルが出力を停止しているとき、前記抵抗素子よりも高いインピーダンスを有する、高インピーダンス部と、
前記第１および第２電力線のうち他方に挿入されており、前記太陽光パネルが出力を停止しているとき、前記抵抗素子よりも高いインピーダンスを有する、第２高インピーダンス部を備える
ことを特徴とする接続回路。
【請求項５】
請求項４記載の接続回路において、
前記高インピーダンス部は、
前記一方の電力線に挿入されており、前記パワーコンディショナーから前記太陽光パネルに向かう方向を順方向とするダイオードを含む
ことを特徴とする接続回路。
【請求項６】
請求項４記載の接続回路において、
前記高インピーダンス部は、
前記一方の電力線に挿入されたＦＥＴ（Field Effect Transistor）と、
前記ＦＥＴを制御するものであり、前記太陽光パネルが出力を停止しているとき前記ＦＥＴをオフにする制御回路とを含む
ことを特徴とする接続回路。
【請求項７】
請求項４記載の接続回路において、
前記高インピーダンス部は、
前記一方の電力線に挿入されたリレーと、
前記リレーを制御するものであり、前記太陽光パネルが出力を停止しているとき前記リレーをオフにする制御回路とを含む
ことを特徴とする接続回路。
【請求項８】
請求項４記載の接続回路において、
前記抵抗素子は、１ＭΩ以上の抵抗値を有する
ことを特徴とする接続回路。
【請求項９】
請求項４〜８のうちいずれか１項記載の接続回路において、
前記第２高インピーダンス部は、
前記他方の電力線に挿入されており、前記太陽光パネルから前記パワーコンディショナーに向かう方向を順方向とするダイオードを含む
ことを特徴とする接続回路。
【請求項１０】
請求項４〜８のうちいずれか１項記載の接続回路において、
前記第２高インピーダンス部は、
前記他方の電力線に挿入されたＦＥＴと、
前記ＦＥＴを制御するものであり、前記太陽光パネルが出力を停止しているとき前記ＦＥＴをオフにする制御回路とを含む
ことを特徴とする接続回路。
【請求項１１】
請求項４〜８のうちいずれか１項記載の接続回路において、
前記第２高インピーダンス部は、
前記他方の電力線に挿入されたリレーと、
前記リレーを制御するものであり、前記太陽光パネルが出力を停止しているとき前記リレーをオフにする制御回路とを含む
ことを特徴とする接続回路。
【請求項１２】
請求項１〜１１のうちいずれか１項記載の接続回路において、
前記パワーコンディショナーは、非絶縁方式であり、かつ、蓄電池が接続可能なように構成されている
ことを特徴とする接続回路。
【請求項１３】
太陽光パネルの出力を受けるパワーコンディショナーであって、
インバータ部と、
前記太陽光パネルの出力と前記インバータ部の入力との間に設けられた接続回路とを備え、
前記接続回路は、
前記太陽光パネルの正極と前記インバータ部の正極とを接続する第１電力線と、
前記太陽光パネルの負極と前記インバータ部の負極とを接続する第２電力線と、
前記第１および第２電力線のうち一方に一端が接続され、他端が接地されている、抵抗素子と、
前記一方の電力線の、前記抵抗素子よりも前記パワーコンディショナー側に挿入されており、前記太陽光パネルが出力を停止しているとき、前記抵抗素子よりも高いインピーダンスを有する、高インピーダンス部とを備える
ことを特徴とするパワーコンディショナー。
【請求項１４】
非絶縁方式であり、かつ、蓄電池が接続可能なように構成されている
ことを特徴とする請求項１３記載のパワーコンディショナー。